(57)【要約】【課題】  ２線用の押え台でも、３線用の押え台でも、その線数に対応したバイパス回路との導通を確立して、工具本体を押え台の線数の違いに関係なく共用することを可能とした単二・単三共用分離型無停電取替工具。【解決手段】  無停電取替工具本体１０に電源側電線と負荷側電線が各３線の３線用のバイパス回路を設けると共に、工具本体から突出した導通制御部１５を設けて、導通制御部の下端にバイパス回路に接続した計６個の本体側端子１４を露出させて直列状に配置し、押え台に導通制御部を跨らせて固定する端子台１９を突設して、該端子台の上端に押え台内のインサート導体を介して押し切りねじ１７と接続した押え台側端子１８を露出させて直線状に配置する。その押え台側端子１８の配置を、押え台側端子の数が６個のときは本体側端子１４と同位置とし、４個のときは一つのバイパス回路用を除く４個の本体側端子１４の配置と同位置とし、押え台側端子とこれに対応する本体側端子とを導通用のねじ２１で接続して、押し切りねじ１７とバイパス回路との導通を確立する。【選択図】        図５
2005283210.tif 000002
【特許請求の範囲】
【請求項１】
電気計器に接続された電源側電線と負荷側電線の各電線を工具本体に固定された押え台と該押え台に締結された固定台との間で固定し、押え台に一列に配設された押し切りねじをねじ込んで各線の被覆を通って導体に当接させることにより、各線を押し切りねじと接続した押え台内のインサート導体を介して工具本体内のバイパス回路と導通させる無停電取替工具において、
工具本体に電源側電線と負荷側電線が各３線の３線用のバイパス回路を設けると共に、工具本体から突出した導通制御部を設けて、該導通制御部の下端にバイパス回路に接続した計６個の本体側端子を露出させて直列状に配置し、該各本体側端子上に導通用のねじを配設する一方、
押え台に前記導通制御部を跨らせて固定する端子台を突設して、該端子台の上端に押え台内のインサート導体を介して押し切りねじと接続した押え台側端子を露出させて直線状に配置し、その押え台側端子の配置を、押え台側端子の数が６個のときは本体側端子と同位置とし、該押え台側端子の数が４個のときは一つのバイパス回路用の２個の本体側端子を除く４個の本体側端子の配置と同位置とし、そして押え台側端子とこれに対応する本体側端子とを導通用のねじによって接続して、押し切りねじとバイパス回路との導通を確立することを特徴とする単二・単三共用分離型無停電取替工具。
【発明の詳細な説明】
【技術分野】
【０００１】
本発明は、電力量計などの電気計器を無停電で交換するのに使用される無停電取替工具に関し、特に電気計器に接続された電源側電線と負荷側電線とが各２線のものでも各３線のものでも、バイパス回路が設けられた工具本体を共用することを可能とした単二・単三共用分離型無停電取替工具に関する。
【背景技術】
【０００２】
従来より、電力量計などの電気計器に接続された電源側電線と負荷側電線との間を遮断せずに、電気計器を交換することことができる無停電取替工具が知られている。
【０００３】
従来の無停電取替工具は、例えば図７（ａ）〜（ｃ）に示すように、バイパス回路が設けられた工具本体１１０と、該工具本体１１０の前面に固定された押え台１１１と、締結ねじ１１７によって押え台１１１の下端に締結される固定台１１３とからなっている。そして、図示しない電力量計に接続された電源側と負荷側の各３線の電線１１５（１ｓ、２ｓ、３ｓ、３L、２L、１L）を押え台１１１の下端に設けられた各溝１１２と固定台１１３に設けられた各溝１１４の間に収容し、固定台１１３を押え台１１１に締付けねじ１１７で締結することによって各電線１１５を固定し、各電線が隣の電線に接触しないように独立に保持する。
【０００４】
そして押え台１１１内に配設した各電線１１５に対応する押し切りねじ１１６をねじ込んで、各電線１１５の被覆を通って導体に当接させることにより、各電線１１５を押し切りねじと接続した押え台１１１内のインサート導体を介して工具本体１１０内のバイパス回路と導通させ、これによって電気計器を取り外して、無停電で交換ができるようになっている（例えば特許文献１の図４参照）。
【０００５】
ところで、３線用のバイパス回路は、２線用の押え台の押し切りねじとの導通をとれば、２線用にも使用し得る。しかしながら、従来は、電気計器に接続された電源側電線と負荷側電線の線数に応じた専用のバイパス回路を工具本体に設けていた。このため無停電取替工具を省力化できない問題があった。
【特許文献１】特許第３１３９９７０号
【発明の開示】
【発明が解決しようとする課題】
【０００６】
したがって本発明の課題は、２線用の押え台でも、３線用の押え台でも、その線数に対応したバイパス回路との導通を確立して、工具本体を押え台の線数の違いに関係なく共用することを可能とした単二・単三共用分離型無停電取替工具を提供することである。
【課題を解決するための手段】
【０００７】
上記課題を解決するために、本発明の単二・単三共用分離型無停電取替工具は、電気計器に接続された電源側電線と負荷側電線の各電線を工具本体に固定された押え台と該押え台に締結された固定台との間で固定し、押え台に一列に配設された押し切りねじをねじ込んで各線の被覆を通って導体に当接させることにより、各線を押し切りねじと接続した押え台内のインサート導体を介して工具本体内のバイパス回路と導通させる無停電取替工具において、工具本体に電源側電線と負荷側電線が各３線の３線用のバイパス回路を設けると共に、工具本体から突出した導通制御部を設けて、該導通制御部の下端にバイパス回路に接続した計６個の本体側端子を露出させて直列状に配置し、該各本体側端子上に導通用のねじを配設する一方、押え台に前記導通制御部を跨らせて固定する端子台を突設して、該端子台の上端に押え台内のインサート導体を介して押し切りねじと接続した押え台側端子を露出させて直線状に配置し、その押え台側端子の配置を、押え台側端子の数が６個のときは本体側端子と同位置とし、該押え台側端子の数が４個のときは一つのバイパス回路用の２個の本体側端子を除く４個の本体側端子の配置と同位置とし、そして押え台側端子とこれに対応する本体側端子とを導通用のねじによって接続して、押し切りねじとバイパス回路との導通を確立することを特徴とする。
【０００８】
本発明では、工具本体に設けた導電制御部で導通用のねじによって本体側端子と押え台の端子台に設けた押え台側端子とを接続して、押え台の押し切りねじと工具本体のバイパス回路との導通を確立するので、工具本体を２線用の押え台にも、３線用の押え台にも共用することができ、無停電取替工具を省力化することができる。
【発明の効果】
【０００９】
本発明によれば、工具本体を２線用の押え台にも、３線用の押え台にも共用することができ、無停電取替工具を省力化することができる。
【発明を実施するための最良の形態】
【００１０】
以下、図面を参照して本発明の実施例を詳述する。図１は本発明の単二・単三共用分離型無停電取替工具の一実施例を示す平面図、図２は側面図である。本無停電取替工具は、内にバイパス回路が設けられた工具本体１０と、該工具本体１０に固定された押え台１１とを備え、さらに押え台１１の下端に両端および中央の締め付けねじ１１ａ、１１ｂで締結される固定台１２を備える。そして図示しない電気計器に接続された電源側と負荷側の各電線２７を押え台１１の溝と固定台１２の溝との間に収容して独立に固定保持し、押え台１１に設けられた各押し切りねじ１７をねじ込んで、各電線２７の被覆を通って導体に当接させることにより、各電線２７を押し切りねじと接続した押え台１１内のインサート導体を介して工具本体１０内のバイパス回路と導通させ、これによって電気計器を取り外して、無停電で交換を可能にするものである。
【００１１】
工具本体１０内の下部には、図３の裏面図に示すように、３つの略Ｕ字状のバイパス回路１３ａ、１３ｂ、１３ｃが、この順で外側から内側に設けられている。バイパス回路１３ａ、１３ｂ、１３ｃは、それぞれ右左の導体板１３ａ１と１３ａ２、１３ｂ１と１３ｂ２、１３ｃ１と１３ｃ２によって形成され、これらの導体板の間の接続を工具本体１０の上部のトグルスイッチ１０ａによってオン／オフすることによって、バイパス回路１３ａ〜１３ｃが閉成／開成される。
【００１２】
本発明では、この工具本体１０を電気計器に接続された電源側電線、負荷側電線が各３線の３線用の無停電取替工具にも、各２線の２線用の無停電取替工具にも使用できるようにするために、工具本体１０の下部を前方に突出して、図３に示すように、３つのバイパス回路１３に接続した本体側端子１４を下端に有する導通制御部１５を設ける一方、押え台１１の上部を後方に突出して、図４に示すように、押え台１１の押し切りねじ１７に接続した押え台側端子１８を上端に有する端子台１９を設けた。そして図２に示すように、導通制御部１５を端子台１９に跨らせて、導通制御部１５の両端および中間の締め付けねじ２０によって端子台１９に固定するとともに、図５に示すように、導通制御部１５に導通用ねじ２１を配設して、該導通用ねじ２１により押え台側端子１８と本体側端子１４とを電気的に接続するようにした。
【００１３】
本体側端子１４は、導通制御部１５の下端に幅方向に一列に６個配設され、導通制御部１５の下端に露出されている。そのうちの両端の端子１４ａ１、１４ａ２はバイパス回路１３ａの導体板１３ａ１、１３ａ２に接続され、中間の端子１４ｂ１、１４ｂ２はバイパス回路１４ａの導体板１３ｂ１、１３ｂ２に接続され、内側の１４ｃ１、１４ｃ２はバイパス回路１３ｃの導体板１３ｃ１、１３ｃ２に接続されている。導通制御部１５には、各端子１４に臨む貫通孔２２を上端から設けて、貫通孔２２に導通用ねじ２１を配設し、導通制御部１５の上端から導通用ねじ２１を操作できるようにしてある。図５において符号２２ａは、ねじ２１による押え台側端子１８と本体側端子１４の接続後、貫通孔２２の上端を閉じる蓋である。
【００１４】
本実施例では、無停電取替工具は３線用として組立てており、押え台１１には３線に対応のものを用いている。押え台側端子１８は、端子台１９の上端に幅方向に一列に６個配設され、端子台１９の上端に露出されている。そのうちの両端の端子１８ａ１、１８ａ２は本体側端子１４ａ１、１４ａ２と同位置に、中間の端子１８ｂ１、１８ｂ２は本体側端子１４ｂ１、１４ｂ２と同位置に、内側の端子１８ｃ１、１８ｃ２は本体側端子１４ｃ１、１４ｃ２と同位置にそれぞれ配置されている。
【００１５】
各押え台側端子１８は、押え台１１内の対応する押し切りねじ１７にそれぞれのインサート導体１６を介して電気的に接続されている。即ち、両端の押え台側端子１８ａ１、１８ａ２が押し切りねじ１７ａ１、１７ａ２と、中間の押え台側端子１８ｂ１、１８ｂ２が押し切りねじ１７ｂ１、１７ｂ２と、内側の押え台側端子１８ｃ１、１８ｃ２が押し切りねじ１７ｃ１、１７ｃ２と接続されている。押し切りねじ１７は、両端のねじ１７ａ１、１７ａ２が電源側電線１ｓ、負荷側電線１L用、中間のねじ１７ｂ１、１７ｂ２が電源側電線２ｓ、負荷側電線２L用、内側のねじ１７ｃ１、１７ｃ２が電源側電線３ｓ、負荷側電線３L用である。
【００１６】
したがって、押え台１１に工具本体１０を固定し、図５に示すように、導通制御部１５の各本体側端子１４（１４ａ１〜１４ｃ２）と端子台１９の各押え台側端子１８（１８ａ１〜１８ｃ２）に導通用ねじ２１をねじ込んで、これらの間を接続すれば、押え台１１の押し切りねじ１７ａ１、１７ａ２が工具本体１０の導体板１３ａ１、１３ａ２と、押し切りねじ１７ｂ１、１７ｂ２が導体板１３ｂ１、１３ｂ２と、押し切りねじ１７ｃ１、１７ｃ２が導体板１３ｃ１、１３ｃ２と導通される。即ち、押し切りねじ１７ａ１〜１７ｃ２とバイパス回路１３ａ〜１３ｃとの間の導通が確立されて、３線用の無停電取替工具が組み立てられる。
【００１７】
２線用の無停電取替工具を組み立てるには、図６に示す押え台２５を使用する。基本構成は３線用の押え台１１と同様であり、押え台２５の上部の突出した端子台１９に、押え台２５の押し切りねじ１７ａ１、１７ｂ１、１７ｂ２、１７ａ２に接続した押え台側端子２６ａ１、２６ｂ１、２６ｂ２、２６ａ２を設けた。ただし、２線用の押え台の端子２６は、工具本体１０の２つのバイパス回路用の本体側端子１４と接続すればよいから、１つのバイパス回路用の本体側端子１４を除いた他の本体側端子１４と同位置とする。本例では、押え台側端子２６ａ１、２６ａ２を外側のバイパス回路１３ａの本体側端子１４ａ１、１４ａ２の位置とし、押え台側端子２６ｂ１、２６ｂ２を中間のバイパス回路１３ｂの本体側端子１４ｂ１、１４ｂ２の位置とした。
【００１８】
同様に、押え台２５に工具本体１０を固定し、導通制御部１５の各本体側端子１４（１４ａ１〜１４ｂ２）と端子台１９の各押え台側端子２６（２６ａ１〜２６ｂ２）に導通用ねじ２１をねじ込んで、これらの間を接続すれば、押え台１１の押し切りねじ１７ａ１、１７ａ２が工具本体１０の導体板１３ａ１、１３ａ２と、押し切りねじ１７ｂ１、１７ｂ２が導体板１３ｂ１、１３ｂ２と導通される。即ち、押し切りねじ１７ａ１〜１７ｂ２とバイパス回路１３ａ、１３ｂとの導通が確立され、２線用の無停電取替工具が組み立てられる。
【００１９】
以上の実施例に示すように、本発明によれば、工具本体を２線用の押え台にも、３線用の押え台にも共用することができ、無停電取替工具を省力化することができる。
【図面の簡単な説明】
【００２０】
【図１】本発明の単二・単三共用分離型無停電取替工具の一実施例を示す平面図である。
【図２】図１の無停電取替工具の側面図である。
【図３】図１の無停電取替工具の工具本体を示す裏面図である。
【図４】図１の無停電取替工具に使用する３線用の押え台を示す平面図である。
【図５】図１の無停電取替工具の導通の確立法を示す断面図である。
【図６】本発明で使用する２線用の押え台を示す平面図である。
【図７】従来の無停電取替工具を示す図で、平面図（ａ）、背面図（ｂ）および側面図（ｃ）である。
【符号の説明】
【００２１】
１０  工具本体                      １１  押え台
１３ａ１〜１３ｃ２  導体板          １４ａ１〜１４ｃ２  本体側端子
１５  導通制御部                    １６  インサート導体
１７ａ１〜１７ｃ２  押し切りねじ    １８ａ１〜１８ｃ２  押え台側端子
１９  端子台                        ２０  締付けねじ
２１  導通用のねじ                  ２５  押え台
【図１】
2005283210.tif 000003
【図２】
2005283210.tif 000004
【図３】
2005283210.tif 000005
【図４】
2005283210.tif 000006
【図５】
2005283210.tif 000007
【図６】
2005283210.tif 000008
【図７】
2005283210.tif 000009